(57)【要約】【課題】電気採暖具の使用中の移動を防止する。【解決手段】発熱体１と、発熱体１を覆う軟質発泡体１４からなる本体とを備え、本体を敷設した場合、床面９と接する面の内側に、気密性を有する空気層１３を設けたことにより、本体裏面と床面全面が接触することで、使用中の本体の床面９に対する位置ずれを防止できる。【選択図】図１
2005172294.tif 000002
【特許請求の範囲】
【請求項１】
発熱体と、前記発熱体を覆う軟質発泡体からなる本体とを備え、前記本体を床に敷設した場合、床面と接する面の内側に、気密性を有する空気層を設けた電気採暖具。
【請求項２】
空気層は、発熱体に対向する位置に設けた請求項１に記載の電気採暖具。
【請求項３】
発熱体が所定の温度になった時に空気層が適正な体積となるような構成とした請求項１又は２に記載の電気採暖具。
【発明の詳細な説明】
【技術分野】
【０００１】
本発明は、電気カーペット等の電気採暖具に関するものである。
【背景技術】
【０００２】
従来この種の電気採暖具は、省エネルギー化をはかる為に、気密性のある空気層で床面との断熱を行なっている（例えば、特許文献１参照）。
【０００３】
図３は、特許文献１に記載された従来の電気採暖具の外観斜視図であり、図４は特許文献１に記載された従来の電気採暖具の断面構成図（カバーは図示されていない）である。
【０００４】
図３において、熱源である発熱体１が表布２に接着固定されており、裏材Ａ３と表布２の間に断熱の機能を有するフェルト４が挟まれた構成になっている。上面には、デザイン性の良いカバー５がかぶせてある。次に図４の断面構成図を用いて説明する。図３と同一機能を有する部品には、同一番号が付与してある。又カバー５は省略してある。図において、裏材Ａ３はシートＡ６とシートＢ７より構成されている。シートＢ７は半球状の凸部を全面に有しておりシートＡ６とで半球状の空気層Ａ８を形成している。空気層Ａ８の半球状の先端が床面９と接している。このように空気層Ａ８を発熱体１と床面９との間に設けることで床面９に放熱される熱をより多く抑え省エネルギー化を図っている。
【特許文献１】特開平１１−１５９７７９号公報
【発明の開示】
【発明が解決しようとする課題】
【０００５】
しかしながら、前記従来の構成では、断熱材がフェルト４である為にフェルト４に凹部を設ける事が難しく、空気層Ａ８を本体の外側へ突出せざるえなかった。従って、電気採暖具（以降本体と称す）の裏材Ａ３と床面９との接触面積が、半球状の空気層Ａ８の先端部での接触になる為に著しく少なくなり、使用中の本体の床面９に対する位置ずれが著しかった。本体上を歩く度にずれが発生し、度々本体を基にもどさねばならないという課題を有していた。
【０００６】
本発明は、前記従来の課題を解決するもので、省エネルギー化を図りながら、使用中の本体をずれを防止出来る電気採暖具を提供することを目的とする。
【課題を解決するための手段】
【０００７】
前記従来の課題を解決するために、従来は、断熱材がフェルトであるが為にフェルトに凹部を設ける事が難しく空気層を外側へ突出しなければならなかったが、本発明の電気採暖具は、断熱材に軟質発泡体を用いることで、床面と接する面の内側に、気密性を有する空気層を設けた構成としたものである。
【０００８】
これによって、本体裏面と床面全面が接触することで、使用中の本体の床面に対する位置ずれを防止できる。
【発明の効果】
【０００９】
本発明の電気採暖具は、本体裏面と床面全面が接触することで、使用中の本体の床面に対する位置ずれを防止できる。
【発明を実施するための最良の形態】
【００１０】
第１の発明は、発熱体と、発熱体を覆う軟質発泡体からなる本体とを備え、本体を敷設した場合、床面と接する面の内側に、気密性を有する空気層を設けた構成にすることにより、空気層を用いて省エネルギー化を図りながら、本体裏面と床面全面が接触することで、使用中の本体の床面に対する位置ずれを防止できる。
【００１１】
第２の発明は、特に、第１の発明の空気層を、発熱体に対向する構成とすることにより、最も温度の高い発熱体全体に渡って床面との間に、空気層を設けた為に、床面へ放熱される熱を効果的に遮断出来、更なる省エネルギー化が可能となる。
【００１２】
第３の発明は、特に、第１及び第２の発明の空気層を、発熱体が所定の温度になった時に空気層が適正な体積となるような構成としたことにより、発熱体の温度上昇により、空気層が膨張し本体にひずみが発生することがないので、座りごこちが悪くなることがなく、また本体裏面が凸凹になることが無い為、本体裏面と床面の全面接触を維持出来ることで、使用中の本体の床面に対する位置ずれを防止できる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における電気採暖具の断面構成図である。
【００１５】
図１において、背景技術で説明した内容と同一符号のものは、同一構造を有し説明は省略する。図１において、裏材Ｂ１０は、円柱状（半球状でも良い）の凸部を全面にわたって有するシートＣ１１と床面９に接するシートＤ１２により構成されており、円柱状の空気層Ｂ１３を全面にわたり有している。軟質発泡体１４は、２液を混合させて化学反応させることで、表布２と裏材Ｂ１０の間隙を隙間なく充填させることが可能であるため裏材Ｂ１０の空気層Ｂ１３を本体内部に図のように構成できる。
【００１６】
以上のように構成された電気採暖具について、以下その動作、作用を説明する。
【００１７】
まず、空気層Ｂ１３が本体内部にある為に、空気層Ｂ１３の断熱効果で、省エネルギー化を図りながら、裏材Ｂ１０が床面９に対し全面で接する構成にできる。
【００１８】
以上のように、本実施例の形態においては空気層Ｂ１３を本体内部に構成した為に裏材Ｂ１０が床面９に対し全面で接することとなり、使用中の本体の床面９に対する位置ずれを防止できる。また空気層Ｂ１３を本体内部に構成した為に空気層Ｂ１３の体積に該当する量の軟質発泡体１４の使用量を減少でき省資源化が図れる。
【００１９】
また本実施の形態の、発熱体１が所定の温度になった時に空気層Ｂ１３が適正な体積となるような構成とることにより、発熱体１の温度上昇により、空気層１３が膨張し本体にひずみが発生することがないので、座りごこちが悪くなることがなく、また裏材Ｂ１０の面が凸凹になることが無い為、裏材Ｂ１０と床面９の全面接触を維持出来ることで、使用中の本体の床面に対する位置ずれを防止できる。
【００２０】
（実施の形態２）
図２は、本発明の第２の実施の形態の電気採暖具の外観斜視図である。
【００２１】
図１において、背景技術と実施の形態１で説明した内容と同一符号のものは、同一構造を有し説明は、省略する。図において、裏材Ｃ１５には、発熱体１に対向した形状の空気層Ｃ１６が発熱体１に沿って設けられている。
【００２２】
以上のように構成された電気採暖具について、以下その動作、作用を説明する。
【００２３】
まず、発熱体１の部分が最も温度が高い為、発熱体１から床面９に向かっての温度勾配が大きく、この部分での放熱が大きい。従って、発熱体１と床面９の間に隙間なく空気層Ｃ１６を設けることで、放熱をより抑制できる。
【００２４】
以上のように、本実施例の形態においては、空気層Ｃ１６を発熱体１と床面９の間に隙間なく設ける事により、発熱体１から床面９に向かっての温度勾配が大きい部分全体に断熱効果のある空気層Ｃ１６を設けたことでより省エネルギー化が図れる。
【００２５】
また本実施の形態の、発熱体１が所定の温度になった時に空気層Ｃ１６が適正な体積となるような構成とることにより、発熱体１の温度上昇により、空気層Ｃ１６が膨張し本体にひずみが発生することがないので、座りごこちが悪くなることがなく、また裏材Ｃ１５の面が凸凹になることが無い為、裏材Ｃ１５と床面９の全面接触を維持出来ることで、使用中の本体の床面に対する位置ずれを防止できる。
【産業上の利用可能性】
【００２６】
以上のように、本発明にかかる電気採暖具は、空気層の断熱による省エネ性と、接触面の広さによる位置ずれ防止を兼ね備えているため、床面等の面上に敷設する採暖具として有用である。
【図面の簡単な説明】
【００２７】
【図１】本発明の実施の形態１における電気採暖具の断面構成図
【図２】本発明の実施の形態２における電気採暖具の外観斜視図
【図３】従来の電気採暖具の断面構成図
【図４】従来の電気採暖具の外観斜視図
【符号の説明】
【００２８】
１  発熱体
９  床面
１３  空間層
１４  軟質発泡体
１６  空間層
【図１】
2005172294.tif 000003
【図２】
2005172294.tif 000004
【図３】
2005172294.tif 000005
【図４】
2005172294.tif 000006